(57)【要約】【課題】利用者が所定の操作を行っていても、所望の情報を取得することができる情報取得装置を提供する。【解決手段】イベント対応情報取得装置は、所定のイベント（例えば、利用者のメニュー操作や再生中のコンテンツの変更等）が発生した場合、当該イベントがどのようなカテゴリに該当するイベントか解析をし、当該カテゴリについてイベント対応情報を取得する。そして、当該イベント対応情報を登録する。これにより、イベント対応情報取得装置は、登録したイベント対応情報を参照すれば、今まで登録したイベント対応情報を提供することができる。【選択図】図３
2008152417.tif 000002
【特許請求の範囲】
【請求項１】
所定のイベントが発生したことを検出するイベント検出手段と、
前記イベントに対応するカテゴリを決定するカテゴリ決定手段と、
前記カテゴリに関する情報であるイベント対応情報を取得するイベント対応情報取得手段と、
前記イベント対応情報を登録するイベント対応情報登録手段と、
を備えることを特徴とするイベント対応情報取得装置。
【請求項２】
前記イベント対応情報登録手段は、前記イベント対応情報を含む画面表示用画像データを登録することを特徴とする請求項１に記載のイベント対応情報取得装置。
【請求項３】
前記イベントには、利用者の音声に基づく利用者音声イベントを含み、
前記カテゴリ決定手段は、前記イベントが前記利用者音声イベントである場合、類推処理を施すことを特徴とする請求項１又は２に記載のイベント対応情報取得装置。
【請求項４】
前記イベント対応情報に関する情報を含む関連情報を登録する関連情報登録手段をさらに備えることを特徴とする請求項３に記載のイベント対応情報取得装置。
【請求項５】
各種情報を表示する表示手段と、
前記イベント対応情報を前記表示手段へ表示する表示制御手段と、をさらに備えることを特徴とする請求項４に記載のイベント対応情報取得装置。
【請求項６】
検索条件を発行すると共に、前記イベント対応情報の検索を要求するイベント対応情報検索要求手段と、
前記検索条件に応じて、前記イベント対応情報を検索するイベント対応情報検索手段と、をさらに備え、
前記表示制御手段は、前記イベント対応情報検索手段が検索したイベント対応情報を前記表示手段へ表示することを特徴とする請求項５に記載のイベント対応情報取得装置。
【請求項７】
前記イベント検出手段は、前記イベント発生時刻を取得し、
前記関連情報登録手段は、前記イベント発生時刻を前記関連情報に登録し、
前記イベント対応情報検索手段は、前記検索条件に合致するイベント対応情報のイベント発生時刻の前後のイベント対応情報をさらに検索することを特徴とする請求項６に記載のイベント対応情報取得装置。
【請求項８】
前記表示手段は、複数存在し、
前記イベント検出手段は、イベント発生時の環境情報を取得し、
前記関連情報登録手段は、前記環境情報を前記関連情報に登録し、
前記イベント対応情報検索要求手段は、第１の表示手段に表示されている内容から選択された環境情報に対応する項目を検索条件とし、
前記表示制御手段は、前記イベント対応情報検索手段が検索したイベント対応情報の内容を第２の表示手段に表示することを特徴とする請求項６又は７に記載のイベント対応情報取得装置。
【請求項９】
前記表示手段は、複数存在し、
前記表示制御手段は、前記イベント対応情報を表示する表示手段を、前記イベントの種類に応じて前記複数の表示手段の中から決めることを特徴とする請求項５に記載のイベント対応情報取得装置。
【請求項１０】
発生したイベントに対応した情報であるイベント対応情報を取得する方法であるイベント対応情報取得方法であって、
所定の前記イベントが発生したことを検出するイベント検出工程と、
前記イベントに対応するカテゴリを決定するカテゴリ決定工程と、
前記カテゴリに関する情報であるイベント対応情報を取得するイベント対応情報取得工程と、
前記イベント対応情報を登録するイベント対応情報登録工程と、
を備えることを特徴とするイベント対応情報取得方法。
【請求項１１】
イベントに対応した情報であるイベント対応情報を取得するコンピュータによって実行されるイベント対応情報取得プログラムであって、
所定の前記イベントが発生したことを検出するイベント検出手段と、
前記イベントに対応するカテゴリを決定するカテゴリ決定手段と、
前記カテゴリに関する情報であるイベント対応情報を取得するイベント対応情報取得手段と、
前記イベント対応情報を登録するイベント対応情報登録手段、として前記コンピュータを機能させることを特徴とする映像再生制御プログラム。
【請求項１２】
イベントに対応した情報であるイベント対応情報を取得するイベント対応情報取得装置を搭載するナビゲーション装置であって、
前記イベント対応情報取得装置は、
所定のイベントが発生したことを検出するイベント検出手段と、
前記イベントに対応するカテゴリを決定するカテゴリ決定手段と、
前記カテゴリに関する情報であるイベント対応情報を取得するイベント対応情報取得手段と、
前記イベント対応情報を登録するイベント対応情報登録手段と、
を備えることを特徴とするナビゲーション装置。
【請求項１３】
前記イベント対応情報に関する情報を含む関連情報を登録する関連情報登録手段をさらに備え、
前記イベント検出手段は、現在地情報を取得し、
前記関連情報登録手段は、前記現在地情報を前記関連情報に登録することを特徴とする請求項１２に記載のナビゲーション装置。
【発明の詳細な説明】
【技術分野】
【０００１】
本発明は、所定のイベントが発生したタイミングで情報を取得する技術に関する。
【背景技術】
【０００２】
従来、車載装置において、利用者の好みに応じた情報を提供するシステムの例が特許文献１に記載されている。この文献では、利用者の操作に応じて情報を提供している。
【０００３】
【特許文献１】特開２００５−２０８９４３号公報
【発明の開示】
【発明が解決しようとする課題】
【０００４】
上記の文献の手法では、例えば、運転者が所定の情報を所望した場合、一旦車を停止してから情報の取得を行う必要がある。また、同乗者が所定の情報を所望とした場合でも、他の操作を行っていた場合、当該操作を止める必要があり、操作が煩雑であるという問題点があった。
【０００５】
本発明が解決しようとする課題としては、上記のものが例として挙げられる。本発明の目的は、利用者が所定の操作を行っていても、所望の情報を取得することができる情報取得装置を提供することにある。
【課題を解決するための手段】
【０００６】
請求項１に記載の発明は、所定のイベントが発生したことを検出するイベント検出手段と、前記イベントに対応するカテゴリを決定するカテゴリ決定手段と、前記カテゴリに関する情報であるイベント対応情報を取得するイベント対応情報取得手段と、前記イベント対応情報を登録するイベント対応情報登録手段と、を備えることを特徴とする。
【０００７】
請求項１０に記載の発明は、発生したイベントに対応した情報であるイベント対応情報を取得する方法であるイベント対応情報取得方法であって、所定の前記イベントが発生したことを検出するイベント検出工程と、前記イベント対応するカテゴリを決定するカテゴリ決定工程と、前記カテゴリに関する情報であるイベント対応情報を取得するイベント対応情報取得工程と、前記イベント対応情報を登録するイベント対応情報登録工程と、を備えることを特徴とする。
【０００８】
請求項１１に記載の発明は、イベントに対応した情報であるイベント対応情報を取得するコンピュータによって実行されるイベント対応情報取得プログラムであって、所定の前記イベントが発生したことを検出するイベント検出手段と、前記イベントに対応するカテゴリを決定するカテゴリ決定手段と、前記カテゴリに関する情報であるイベント対応情報を取得するイベント対応情報取得手段と、前記イベント対応情報を登録するイベント対応情報登録手段、として前記コンピュータを機能させることを特徴とする。
【０００９】
請求項１２に記載の発明は、イベントに対応した情報であるイベント対応情報を取得するイベント対応情報取得装置を搭載するナビゲーション装置であって、前記イベント対応情報取得装置は、所定の前記イベントが発生したことを検出するイベント検出手段と、前記イベントに対応するカテゴリを決定するカテゴリ決定手段と、前記カテゴリに関する情報であるイベント対応情報を取得するイベント対応情報取得手段と、前記イベント対応情報を登録するイベント対応情報登録手段と、を備えることを特徴とする。
【発明を実施するための最良の形態】
【００１０】
本発明の好適な実施形態では、イベント対応情報取得装置は、所定のイベントが発生したことを検出するイベント検出手段と、前記イベントに対応するカテゴリを決定するカテゴリ決定手段と、前記カテゴリに関する情報である前記イベント対応情報を取得するイベント対応情報取得手段と、前記イベント対応情報を登録するイベント対応情報登録手段と、を備える。
【００１１】
上記のイベント対応情報取得装置は、所定のイベント（例えば、利用者のメニュー操作や再生中のコンテンツの変更等）が発生した場合、当該イベントがどのようなカテゴリに該当するイベントか解析をし、当該カテゴリについてイベント対応情報を取得する。そして、当該イベント対応情報を登録する。
【００１２】
これにより、イベント対応情報取得装置は、取得したイベント対応情報をストックしておくことができる。よって、イベント対応情報取得装置は、今まで登録したイベント対応情報を提供することができる。従って、イベント対応情報取得時に、利用者が当該イベント対応情報を参照できる状況でなくても、利用者の好みのタイミングで当該イベント対応情報を参照することができる。
【００１３】
上記のイベント対応情報取得装置の一態様では、前記イベント対応情報登録手段は、前記イベント対応情報を含む画面表示用画像データを登録する。この場合、イベント対応情報取得装置は、イベント対応情報について、画面表示する際に使用する画面表示用画像データを保持することができる。これにより、イベント対応情報取得装置は、利用者の好みのタイミングで、テキストデータより有益な情報である画像データの形式でイベント対応情報を提供することができる。
【００１４】
上記のイベント対応情報取得装置の一態様では、前記イベントには、利用者の音声に基づく利用者音声イベントを含み、前記カテゴリ決定手段は、前記イベントが前記利用者音声イベントである場合、類推処理を施す。ここで類推処理とは、例えば、形態素解析処理と、パターンマッチング処理と、翻訳処理とからなり、音声情報を形態素解析処理により語句単位に分割し、パターンマッチング処理により、当該分割した語句と同一の情報を有するパターンマッチング用の関連情報（例えば、レコード形式の情報）を取得し、取得したパターンマッチング用の関連情報に基づき翻訳処理を行うことにより、イベント対応情報として取得するカテゴリを決定する処理である。イベント対応情報取得装置は、利用者の音声によるイベントが発生した場合、入力された音声情報を基に類推処理を行うことにより、イベントに対応するカテゴリを決定する。
【００１５】
これにより、利用者が所定の入力装置（操作ボタン等）を操作することなく、イベント対応情報取得装置は、利用者にとって有益なイベント対応情報を取得することができる。
【００１６】
上記のイベント対応情報取得装置の一態様では、前記イベント対応情報に関する情報を含む関連情報を登録する関連情報登録手段をさらに備える。これにより、イベント対応情報取得装置は、イベント対応情報を表示する際に、イベント対応情報の関連情報を表示することができ、利用者に対して、イベント対応情報のみを表示する場合に比してより有益な情報を提供することができる。そして、イベント対応情報取得装置は、関連情報を利用してイベント対応情報を検索すれば、イベント対応情報を逐次検索する場合に比して、より効率的に検索することができる。
【００１７】
上記のイベント対応情報取得装置の一態様では、各種情報を表示する表示手段と、前記イベント対応情報を前記表示手段へ表示する表示制御手段と、をさらに備える。これにより、イベント対応情報取得装置は、取得したイベント対応情報を画面表示することができる。従って、利用者は、画面を介してイベント対応情報を利用することが可能となる。
【００１８】
上記のイベント対応情報取得装置の一態様では、検索条件を発行すると共に、前記イベント対応情報の検索を要求するイベント対応情報検索要求手段と、前記検索条件に応じて、前記イベント対応情報を検索するイベント対応情報検索手段と、をさらに備え、前記表示制御手段は、前記イベント対応情報検索手段が検索したイベント対応情報の内容を表示する。この場合、イベント対応情報取得装置は、検索条件に合致するイベント対応情報の内容を画面に表示する。これにより、利用者に対して、登録済みのイベント対応情報の内容を提供することができる。
【００１９】
上記のイベント対応情報取得装置の一態様では、前記イベント検出手段は、前記イベント発生時刻を取得し、前記関連情報登録手段は、前記イベント発生時刻を前記関連情報に登録し、前記イベント対応情報検索手段は、前記検索条件に合致するイベント対応情報のイベント発生時刻の前後のイベント対応情報をさらに検索する。この場合、イベント対応情報取得装置は、検索条件に合致するイベント対応情報だけでなく、当該イベント対応情報のイベント発生時刻の前後のイベント対応情報の内容についても並べて表示することができる、従って、イベント対応情報取得装置は、利用者が所望の情報を取得できる可能性をより高めることができる。
【００２０】
上記のイベント対応情報取得装置の一態様では、前記表示手段は、複数存在し、前記イベント検出手段は、イベント発生時の環境情報を取得し、前記関連情報登録手段は、前記環境情報を前記関連情報に登録し、前記関連情報検索要求手段は、第１の表示手段に表示されている内容から選択された環境情報に対応する項目を検索条件とし、前記表示制御手段は、前記イベント対応情報検索手段が検索したイベント対応情報の内容を第２の表示手段に表示する。
【００２１】
これにより、イベント対応情報取得装置は、第１の表示手段の表示内容を切り替えることなく、イベント対応情報の内容を表示することができる。なお、上記の環境情報とは、イベント発生時における、所定の情報（例えば、再生していた楽曲情報や現在地情報）を示す。
【００２２】
従って、利用者は、第１の表示手段の表示内容を利用しながら、イベント対応情報の内容についても利用することが可能となる。
【００２３】
上記のイベント対応情報取得装置の一態様では、前記表示手段は、複数存在し、前記表示制御手段は、前記イベント対応情報を表示する表示手段を、前記イベントの種類に応じて前記複数の表示手段の中から決める。この場合、イベント対応情報取得装置は、利用者にとって有用性の高いイベント対応情報のみを、他の表示手段に比して画面が大きい表示手段へ表示することができる。よって、利用者にとって、より利便性の高いイベント対応情報取得装置を実現できる。
【００２４】
本発明の他の観点では、発生したイベントに対応した情報であるイベント対応情報を取得する方法であるイベント対応情報取得方法であって、所定の前記イベントが発生したことを検出するイベント検出工程と、前記イベントに対応するカテゴリを決定するカテゴリ決定工程と、前記カテゴリに関する情報である前記イベント対応情報を取得するイベント対応情報取得工程と、前記イベント対応情報を登録するイベント対応情報登録工程と、を備える。
【００２５】
このイベント対応情報取得方法によれば、上記のイベント対応情報取得装置と同様に、取得したイベント対応情報をストックしておくことができる。従って、イベント対応情報取得時に、利用者が当該イベント対応情報を参照できる状況でなくても、利用者の好みのタイミングで当該イベント対応情報を参照することができる
本発明の他の観点では、イベントに対応した情報であるイベント対応情報を取得するコンピュータによって実行されるイベント対応情報取得プログラムであって、所定の前記イベントが発生したことを検出するイベント検出手段と、前記イベントに対応するカテゴリを決定するカテゴリ決定手段と、前記カテゴリに関する情報であるイベント対応情報を取得するイベント対応情報取得手段と、前記イベント対応情報を登録するイベント対応情報登録手段、として前記コンピュータを機能させる。このプログラムを、コンピュータ上で実行することにより、上記のイベント対応情報取得装置を実現することができる。
【００２６】
本発明の他の観点では、ナビゲーション装置は、イベントに対応した情報であるイベント対応情報を含むイベント対応情報レコードを登録するイベント対応情報取得装置を搭載し、前記イベント対応情報取得装置は、所定のイベントが発生したことを検出するイベント検出手段と、前記イベントに対応するカテゴリを決定するカテゴリ決定手段と、前記カテゴリに関する情報であるイベント対応情報を取得するイベント対応情報取得手段と、前記イベント対応情報を登録するイベント対応情報登録手段と、を備える。
【００２７】
上記のナビゲーション装置は、所定のイベント（例えば、利用者のメニュー操作や再生中のコンテンツの変更等）が発生した場合、当該イベントがどのようなカテゴリに該当するイベントか解析をし、当該カテゴリについてイベント対応情報を取得する。そして、当該イベント対応情報を登録する。
【００２８】
これにより、イベント対応情報取得装置は、取得したイベント対応情報をストックしておくことができる。よって、イベント対応情報取得装置は、今まで登録したイベント対応情報を提供することができる。従って、イベント対応情報取得時に、利用者が当該イベント対応情報を参照できる状況でなくても、利用者の好みのタイミングで当該イベント対応情報を参照することができる。
【００２９】
上記のナビゲーション装置の一態様では、前記イベント対応情報に関する情報を含む関連情報を登録する関連情報登録手段をさらに備え、前記イベント検出手段は、現在地情報を取得し、前記関連情報登録手段は、前記現在地情報を前記関連情報に登録する。
【００３０】
これにより、ナビゲーション装置は、イベント発生時の現在地情報を関連情報に登録しているため、現在地情報を検索条件にしてイベント対応情報を取得することができる。また、ナビゲーション装置は、イベント対応情報を表示する際、各イベント発生時の現在地情報を利用者に対して提供することができる。従って、利用者は、より有益な情報を取得することができる。
【実施例】
【００３１】
以下、図面を参照して本発明の好適な実施例について説明する。
【００３２】
［ナビゲーション装置］
図１に、ナビゲーション装置２００の概念図を示す。本実施例では、ナビゲーション装置２００が車内に設けられている。図１に示すナビゲーション装置２００は、操作状況等について表示を可能とするメインディスプレイ４４Ａだけでなく、所定の変化状況（利用者の操作や走行している位置）をイベントとし、当該イベントに対応する情報（以下、イベント対応情報とも呼ぶ）を表示するサブディスプレイ４４Ｂも有する。なお、本実施例におけるサブディスプレイ４４Ｂは、ハンドル８０付近等に配置される。
【００３３】
図２に、本発明の実施例に係るナビゲーション装置２００の構成を示す。図２に示すように、ナビゲーション装置２００は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００３４】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３５】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３６】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置２００全体の制御を行う。
【００３７】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して利用者により予め設定された経路データ等の各種データを読み出し可能に格納したり、ＣＰＵ２２に対してワーキングエリアを提供したりする。
【００３８】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３９】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としても良いし、ＣＤ及びＤＶＤコンパチブルのドライブとしても良く、また、テレビチューナを内蔵したハードディスクレコーダでも良い。
【００４０】
データ記憶ユニット３６は、例えば、ＨＤＤなどにより構成され、地図データや施設データなどのナビゲーション処理に用いられる各種データを記憶する。
【００４１】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタから配信される渋滞や交通情報などの道路交通情報を受信したり、所定のサーバからの種々の情報（例えば、天気情報等）を受信したりする。
【００４２】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。
【００４３】
音声出力ユニット５０は、システムコントローラ２０の制御の下、ディスクドライブ３１、又はＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００４４】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４５】
さらに、入力装置６０は、音声ユニットも含める。音声ユニットは、音声認識部及びマイクを備える。利用者が発生した音声による指示は、マイクにより集音され、音声認識部へ入力される。音声認識部は、利用者による音声指示を認識処理し、認識結果をシステムコントローラ２０へ供給する。これにより、利用者は、リモコンやタッチパネルの代わりに、音声により指示を入力することができる。
【００４６】
［イベント対応情報の登録及び表示］
次に、本実施例によるイベント対応情報の登録及び表示について説明する。ここで、イベント対応情報の登録とは、所定のイベントを検出したことに応じて取得したイベント対応情報を登録することをいう。ここで、イベント対応情報とは、イベントの内容に応じて取得したテキスト情報や画像情報のことである。そしてイベント対応情報の表示とは、所定の検索条件でイベント対応情報を検索し、検索したイベント対応情報を表示することをいう。
【００４７】
（イベント対応情報取得ユニットの構成）
図３に、イベント対応情報の登録及び表示を行うためのイベント対応情報取得ユニット３００の機能構成を示す。イベント対応情報取得ユニット３００は、実体的には、ナビゲーション装置２００の構成要素により構成される。イベント対応情報取得ユニット３００は、図示のように、制御部３０１と、イベント検出部３０２と、カテゴリ決定部３０３と、イベント対応情報取得部３０４と、イベント対応情報レコード登録部３０５と、登録済みイベント対応情報検索部３０６と、再生情報取得部３０７と、現在地取得部３０８と、表示用画像データ登録部３１０と、イベント対応情報検索要求部３１１と、パターンマッチングＤＢ３３０と、イベント対応情報ＤＢ３５０と、を備える。
【００４８】
イベント検出部３０２は、所定のイベントが発生しているか否か検出する。なお、イベントが検出された場合、イベント検出部３０２は、イベントを検出した時刻を取得したり、再生情報取得部３０７から再生中の曲情報を取得したり、現在地取得部３０８から現在地を取得したりする。
【００４９】
ここで、検出するイベントの例を図４に示す。図４（ａ）に示すように、利用者の動作に基づくイベントとして、「会話音声」、「音声操作」及び「メニュー操作」等がある（以下、利用者イベントとも呼ぶ）。また、図４（ｂ）に示すように、「再生コンテンツ変更」や「観光名所通過」といった環境の変更もイベントとなる（以下、環境イベントとも呼ぶ）。
【００５０】
このように、イベント対応情報取得ユニット３００は、多数のイベントに応じて情報を取得することにより、多角的な情報を取得することができる。つまり、利用者が意図的に取得しようとしている情報以外の情報も取得することができる。
【００５１】
カテゴリ決定部３０３は、イベント検出部３０２が検出したイベントの内容に基づいて、カテゴリを決定する。例えば、イベント検出部３０２が観光地周辺を走行していると検出した場合、カテゴリ決定部３０３は、当該観光地情報について検索すると決定する。
【００５２】
なお、イベント検出部３０２が「会話音声」や「音声操作」等利用者の音声が入力された場合のイベントを検出した場合、カテゴリ決定部３０３は、パターンマッチングＤＢ３３０に定義されているパターンマッチングテーブル１６０を参照して、イベントに対応するカテゴリを決定する。この処理方法に関する詳細は、後述する。なお、パターンマッチングＤＢ３３０は、典型的には、図２のデータ記憶ユニット３６内に設けられる。
【００５３】
イベント対応情報取得部３０４は、カテゴリ決定部３０３が定めたカテゴリについて、所定の方法で検索することによりイベント対応情報を取得する。例えば、カテゴリ決定部３０３が週間天気情報について検索すると定めた場合、イベント対応情報取得部３０４は、図２の通信装置３８を介して、ネットワークで接続されている所定のＷｅｂサーバから週間天気情報を取得する。
【００５４】
イベント対応情報レコード登録部３０５は、イベント対応情報取得部３０４が取得したイベント対応情報に関連する情報（例えば、イベント発生時刻等）を含むイベント対応情報レコードを生成し、イベント対応情報ＤＢ３５０内に定義されているイベント対応情報テーブル（後述する）へ登録する。なお、イベント対応情報ＤＢ３５０は、典型的には図２におけるデータ記憶ユニット３６内に設けられる。
【００５５】
登録済みイベント対応情報検索部３０６は、イベント対応情報ＤＢ３５０内に定義されているイベント対応情報テーブルからイベント対応情報レコードを検索し、当該イベント対応情報レコードに関連するイベント対応情報の画面表示用画像データを取得する。再生情報取得部３０７は、ディスクドライブ３１が再生しているコンテンツ情報（例えば、曲情報等）を取得する。
【００５６】
現在地取得部３０８は、図２におけるＧＰＳ受信機１８から車両の現在位置を取得し、当該現在位置に対応する現在地情報（地名等）をデータ記憶ユニット３６から取得する。
【００５７】
表示用画像データ登録部３１０は、イベント対応情報を含む画面表示用画像データを
所定の記憶部（例えば、データ記憶ユニット３６）に登録する。
【００５８】
イベント対応情報検索要求部３１１は、メニュー等の選択がなされると、選択時の状況に応じた検索条件を発行すると共に、登録済みイベント対応情報検索部３０６に対して、イベント対応情報の検索要求を行う。
【００５９】
以上の構成を有する本実施例においては、ナビゲーション装置２００は、ナビゲーション装置として機能し、イベント対応情報取得ユニット３００がイベント対応情報取得装置として機能する。イベント検出部３０２がイベント検出手段として機能し、カテゴリ決定部３０３がカテゴリ決定手段として機能し、イベント対応情報取得部３０４がイベント対応情報取得手段として機能する。イベント対応情報レコード登録部３０５が関連情報登録手段として機能し、登録済みイベント対応情報検索部３０６がイベント対応情報検索手段として機能する。イベント対応情報検索要求部３１１がイベント対応情報検索要求手段として機能し、表示用画像データ登録部３１０がイベント対応情報登録手段として機能し、表示制御部４３が表示制御手段として機能し、ディスプレイ４４（メインディスプレイ４４Ａ及びサブディスプレイ４４Ｂ）が表示手段として機能する。また、イベント対応情報レコードが関連情報として機能する。
【００６０】
（イベント対応情報の登録）
図５にイベント対応情報取得例を示す。図５（ａ）に示すように、利用者が「暑いなー」と話すと、ナビゲーション装置２００は、「暑いなー」という音声情報を入力装置６０（音声認識装置等）から取得する。そして、ナビゲーション装置２００は、「暑いなー」と利用者が会話したことをイベントとして検知し、イベント対応情報として天気予報に関する情報を取得し、当該イベント対応情報の画面表示用画像データとしてイベント対応情報画面１２０ａをサブディスプレイ４４Ｂへ表示する。
【００６１】
同様に、図５（ｂ）では、ある曲を再生している最中に、「この曲だれだっけ」と利用者が会話したことをイベントとして検知し、ナビゲーション装置２００は、イベント対応情報として再生している曲の歌手の画像及び当該歌手の作品履歴を取得し、当該イベント対応情報の画面表示用画像データとしてイベント対応情報画面１２０ｂをサブディスプレイ４４Ｂへ表示する。
【００６２】
また、図５（ｃ）では、「サッカー何時からだっけ」と利用者が会話したことをイベントとして検知し、ナビゲーション装置２００は、イベント対応情報としてサッカーの試合番組に関する番組表を取得し、当該イベント対応情報の画面表示用画像データとしてイベント対応情報画面１２０ｃをサブディスプレイ４４Ｂへ表示する。
【００６３】
次に、図６を用いて、図５で示したようなイベント対応情報取得例について、「利用者が話した言葉の例」と「検索するカテゴリ」と「表示する情報」との関連を説明する。
【００６４】
図６（ａ）に示すように、ナビゲーション装置２００は、「暑い」、「寒い」、「いい天気」等の音声情報を取得した場合、イベントに対応するカテゴリを「天気予報」と判断し、週間天気予報に関する情報を取得し、週間天気予報に関する情報をサブディスプレイ４４Ｂへ表示する。
【００６５】
図６（ｂ）に示すように、ナビゲーション装置２００は、音楽を再生している最中に、「この曲」、「アルバム」、「この歌」等の音声情報を取得した場合、イベントに対応するカテゴリを「楽曲情報」と判断し、当該再生している音楽を歌っている歌手の情報や当該歌手の作品履歴をサブディスプレイ４４Ｂへ表示する。
【００６６】
図６（ｃ）に示すように、ナビゲーション装置２００は、「サッカー何時」、「ドラマ」等の音声情報を取得した場合、イベントに対応するカテゴリを「番組表」と判断し、時間帯番組表や番組の詳細をサブディスプレイ４４Ｂへ表示する。
【００６７】
このように、ナビゲーション装置２００は、利用者が話した内容を取得し、当該話した内容から利用者が取得したい情報のカテゴリを推測し、推測したカテゴリに関する情報をサブディスプレイ４４Ｂへ表示する。
【００６８】
これにより、ナビゲーション装置２００は、利用者がタッチパネル等所定の入力装置６０に対して操作することなく、利用者の所望の情報を提供することができる。
【００６９】
ナビゲーション装置２００は、発生したイベントに応じて、イベント対応情報を取得する。その後、ナビゲーション装置２００は、イベント対応情報の画面表示用画像データを登録し、更に図７に示すような、当該イベント対応情報に関連する情報（例えば、イベントが発生した時間等）を含めたイベント対応情報レコード７０を生成し、当該イベント対応情報レコード７０をイベント対応情報テーブル１５０へ登録する。
【００７０】
ここで、イベント対応情報レコード７０の「レコードＩＤ」とは、各イベント対応情報レコード７０を一意に識別するための識別子を示す。イベント対応情報レコード７０の「イベント発生時刻」とは、イベントが発生した時刻を示す。イベント対応情報レコード７０の「イベント内容」とは、イベントの種別を示す。例えば、図７のイベント対応情報レコード７０における「レコードＩＤ」が１に対応するイベント内容の「Ｕｓｅｒ：「暑い」」とは、利用者が会話で「暑い」と話したことがイベントであることを示す。イベント対応情報レコード７０の「検索カテゴリ」とは、イベント対応情報のカテゴリを示す。イベント対応情報レコード７０の「画像ＩＤ」とは、イベント対応情報の画面表示用画像データの画像ＩＤを示す。イベント対応情報レコード７０の「環境情報」とは、イベント発生時における、再生していた楽曲情報や現在地情報を示す。なお、「環境情報」として、走行速度等種々の情報を含めても良い。また、イベント対応情報レコード７０にイベント対応情報自体を含めても良い。
【００７１】
このように、ナビゲーション装置２００は、イベント対応情報の画面表示用画像データをデータ記憶ユニット３６に登録し、イベント対応情報レコード７０をイベント対応情報テーブル１５０に登録している。これにより、ナビゲーション装置２００が、当該イベント対応情報テーブル１５０を検索すれば、過去に登録したイベント対応情報レコード７０の情報を取得できる。さらに、当該イベント対応情報レコード７０の「画像ＩＤ」を基に当該画像ＩＤに対応する画像を検索すれば、当該イベント対応情報レコード７０に関連するイベント対応情報の画面表示用画像データ（以下、レコード関連画面データとも呼ぶ）を取得することができる。すなわち、利用者が過去に登録したイベント対応情報レコード７０内の情報と、レコード関連画面データを利用者の好みのタイミングで利用することができる。
【００７２】
（イベント対応情報の表示）
次に、イベント対応情報の表示について図８を用いて説明する。
【００７３】
図８（ａ）は、ナビゲーション装置２００がメインディスプレイ４４Ａに表示するオーディオ操作画面１１０ａである。オーディオ操作画面１１０ａは、曲リスト等、再生するコンテンツを表示するコンテンツリスト表示領域１１２及びオーディオ再生用メニュー表示領域１１１ａを有する。
【００７４】
コンテンツリスト表示領域１１２において所定の曲等が利用者により選択された状態で、オーディオ再生用メニュー表示領域１１１ａから「履歴検索」メニューが選択されると、ナビゲーション装置２００は、選択されている情報に該当するイベント対応情報レコード７０を検索する。ここで、「履歴検索」とは、登録済みのイベント対応情報レコード７０を検索し、レコード関連画面データを取得することをいう。
【００７５】
図８（ａ）の例では、「曲Ｂ」が選択されているため、ナビゲーション装置２００は、イベント対応情報レコード７０内の環境情報に「曲Ｂ」が含まれるイベント対応情報レコード７０を検索し、レコード関連画面データ等をサブディスプレイ４４Ｂへ表示する。
【００７６】
図８（ｂ）は、ナビゲーション装置２００がメインディスプレイ４４Ａに表示する地図表示操作画面１１０ｂである。この場合、地図表示メニュー１１１ｂから「履歴検索」メニューが選択されると、ナビゲーション装置２００は、イベント対応情報レコード７０内の環境情報に現在地表示領域１１３に表示されている「ＤＤ市△△町」が含まれるイベント対応情報レコード７０を検索し、レコード関連画面データ等をサブディスプレイ４４Ｂへ表示する。
【００７７】
図８（ｃ）に、イベント対応情報レコード７０を検索した結果を表示した履歴検索結果画面１２０ｄを示す。なお、ナビゲーション装置２００が履歴検索結果画面１２０ｄをサブディスプレイ４４Ｂへ表示する。
【００７８】
履歴検索結果画面１２０ｄは、検索結果表示領域１２１を複数有する。ナビゲーション装置２００は、履歴検索結果画面１２０ｄの中央部に位置する検索結果表示領域１２１ａに、検索条件に合致するイベント対応情報レコード７０の情報を表示し、当該検索結果表示領域１２１ａの左右に対して、検索条件に合致するイベント対応情報レコード７０の前後の時間帯に登録した、イベント対応情報レコード７０内の情報とレコード関連画面データとを表示する。
【００７９】
また、ナビゲーション装置２００は、検索結果表示領域１２１内のイベント発生時刻表示領域１２４へイベント対応情報レコード７０のイベント発生時刻を表示し、画像表示領域１２２へイベント対応情報レコード７０の画像ＩＤに対応する画像（イベント対応情報の画面表示用画像データ）を表示し、環境情報表示領域１２３へイベント対応情報レコード７０の環境情報を表示する。
【００８０】
なお、ナビゲーション装置２００がサブディスプレイ４４Ｂ上に表示するボタン等（図示せず）が利用者によって押下されることによって、イベント対応情報レコード７０の情報とレコード関連画面データとをリスト表示することもできる。
【００８１】
［イベント対応情報登録処理］
次に、本実施例における、イベント対応情報登録処理について、図９を参照して説明する。図９は、イベント対応情報登録処理のフローチャートである。イベント対応情報登録処理とは、イベントを検出し、検出したイベントに対応した情報（イベント対応情報）を取得し、当該イベント対応情報の画面表示用画像データと当該イベント対応情報に関連する情報を含むイベント対応情報レコード７０とを登録する処理である。
【００８２】
まず、イベント検出部３０２は、利用者イベントが発生しているか否か判定する（ステップＳ０）。判定した結果、利用者イベントを検出した場合（ステップＳ０；Ｙｅｓ）、イベント検出部３０２は、イベント発生時刻を取得し、さらに再生情報取得部３０７から再生中のコンテンツの名称（例えば、曲名等）を取得し、現在地取得部３０８から現在地情報を取得した後（ステップＳ２）、ステップＳ３へ移る。
【００８３】
一方、イベント検出部３０２が利用者イベントを検出しなかった場合（ステップＳ０；Ｎｏ）、イベント検出部３０２は、環境イベントが発生しているか否か判定する（ステップＳ１）。例えば、環境イベントの「再生コンテンツ変更」イベントの検出の場合、イベント検出部３０２は、再生情報取得部３０７から現在再生中のコンテンツ情報を取得し、以前判定した時と比べて再生中のコンテンツ（楽曲情報等）が変更されているか否かを判定する。また、「観光名所通過」イベントの検出の場合、イベント検出部３０２は、現在地取得部３０８から取得した現在地情報を参照し、現在地が所定の観光名所か否かを判定する。判定した結果、環境イベントを検出した場合（ステップＳ１；Ｙｅｓ）、イベント検出部３０２は、イベント発生時刻を取得し、さらに再生情報取得部３０７から再生中のコンテンツの名称（例えば、曲名等）を取得し、現在地取得部３０８から現在地情報を取得した後（ステップＳ２）、ステップＳ３へ移る。
【００８４】
ステップＳ３において、カテゴリ決定部３０３は、イベント検出部３０２が検出したイベントの内容に応じて、イベントに対応するカテゴリを決定する（ステップＳ３）。
【００８５】
例えば、イベント検出部３０２が「観光名所通過」イベントを検出した場合、カテゴリ決定部３０３は、当該観光名所に関する情報について取得することを決定する。また、カテゴリ検出部３０２が「再生コンテンツ変更」イベントを検出した場合、カテゴリ決定部３０３は、現在再生しているコンテンツに関する情報について取得することを決定する。
【００８６】
次に、イベント対応情報取得部３０４は、カテゴリ決定部３０３が決定した取得すべき情報を種々の方法を用いて検索することにより、イベント対応情報を取得する（ステップＳ４）。
【００８７】
次に、表示用画像データ登録部３１０は、イベント対応情報取得部３０４が取得したイベント対応情報に関する画面表示用画像データを所定の記憶部（例えば、データ記憶ユニット３６）に登録する。イベント対応情報レコード登録部３０５は、上記画面表示用画像データに対応する識別子（以下、画像ＩＤとも呼ぶ）を含むイベント対応情報レコード７０を生成し、イベント対応情報テーブル１５０へ登録する（ステップＳ５）。
【００８８】
イベント対応情報レコード７０は、上記画像ＩＤの他に、各イベント対応情報レコード７０を一意に識別するレコードＩＤ、イベント検出部３０２が取得したイベント発生時刻、イベント検出部３０２が検出したイベント内容、カテゴリ決定部３０３が決定した検索カテゴリ、及び環境情報を含む。
【００８９】
ここで、環境情報とは、ステップＳ２においてイベント検出部３０２が、再生情報取得部３０７から取得した再生中のコンテンツ名称及び現在地取得部３０８から取得した現在地情報を含む情報である。
【００９０】
イベント対応情報レコード登録部３０５がイベント対応情報レコード７０を登録した後、表示ユニット４０内の表示制御部４３は、上記画像ＩＤに対応する画面表示用画像データをサブディスプレイ４４Ｂへ表示する（ステップＳ６）。
【００９１】
そして、イベント対応情報取得ユニット３００は、イベント対応情報登録処理を終了する。
【００９２】
なお、上記イベント対応情報登録処理は、所定の方法（例えば、車両のエンジンストップ等）により、制御部３０１等から停止命令がなされるまで繰り返し行われる。
【００９３】
このように、上記のイベント対応情報登録処理では、上記イベント検出部３０２が、各種イベントを検出し、カテゴリ決定部３０３が当該イベントの内容を判断し、イベントに対応するカテゴリを決定し、イベント対応情報取得部３０４が、前記カテゴリに関する情報であるイベント対応情報を取得し、表示用画像データ登録部３１０が、イベント対応情報取得部３０４が取得したイベント対応情報の画面表示用画像データをデータ記憶ユニット３６へ登録し、イベント対応情報レコード登録部３０５が当該イベント対応情報に関する情報を含むイベント対応情報レコード７０をイベント対応情報テーブル１５０へ登録する。
【００９４】
これにより、イベント対応情報取得ユニット３００は、イベント対応情報テーブル１５０に登録済みのイベント対応情報レコード７０を参照すれば、レコード関連画面データを取得できるので、今まで登録したイベント対応情報を提供することができることになる。つまり、イベント対応情報取得ユニット３００がイベント対応情報を取得した時に、利用者が当該イベント対応情報を参照できる状況でなくても、利用者の好みのタイミングで当該イベント対応情報を参照することができることになる。また、イベント対応情報取得ユニット３００は、イベント対応情報の画面表示用画像データを表示しているので、単なるテキストデータで表示する場合に比して、利便性のある形式のデータを提供できる。
【００９５】
また、表示制御部４３は、イベント対応情報取得部３０４が取得したイベント対応情報をサブディスプレイ４４Ｂへ画面表示する。これにより、利用者は、イベント発生直後にイベント対応情報を参照することができる。
【００９６】
［イベント対応情報登録（音声入力の場合）］
ここで、「会話音声」や「音声操作」等、音声入力による利用者イベントが検出された場合のイベント対応情報登録処理について、図１０を参照して説明する。図１０は、音声入力による利用者イベントが発生した場合における、イベント対応情報登録処理のフローチャートである。
【００９７】
イベント検出部３０２は、「会話音声」や「音声操作」等、音声入力による利用者イベントを検出すると（ステップＳ１０；Ｙｅｓ）、イベント発生時刻を取得し、さらに再生情報取得部３０７から再生中のコンテンツの名称（例えば、曲名等）を取得し、現在地取得部３０８から現在地情報を取得する（ステップＳ１１）。そして、イベント検出部３０２は、入力された音声を取得する（ステップＳ１２）。なお、取得した音声情報を「今日は暑い」とする。
【００９８】
次に、カテゴリ決定部３０３は、入力された音声情報を基に類推処理を行うことにより、イベント対応情報のカテゴリを決定する。
【００９９】
ここで、類推処理とは、形態素解析処理と、パターンマッチング処理と、翻訳処理からなり、音声情報を形態素解析処理により語句単位に分割し、パターンマッチング処理により、当該分割した語句と同一の情報を有するパターンマッチング用のレコードを取得し、取得したパターンマッチング用のレコードに基づき翻訳処理を行うことにより、イベントに対応するカテゴリを決定する処理である。以下に詳細について記載する。
【０１００】
カテゴリ決定部３０３は、取得した音声情報に対して形態素解析処理を施すことにより、取得した音声を最小の意味単位である形態素に分解する（ステップＳ１３）。これにより、取得した音声情報は、「今日」、「は」、及び「暑い」に分けられる。
【０１０１】
そして、カテゴリ決定部３０３は、形態素解析処理により分割された「今日」と、「は」と、「暑い」とが、図１１に示すパターンマッチングテーブル１６０の各パターンマッチングレコード７１の「語句」と一致するパターンマッチングレコード７１を取得するパターンマッチング処理をする（ステップＳ１４）。この結果、「今日」という語句がパターンマッチングレコード７１Ａの「語句」と合致し、「暑い」という語句がパターンマッチングレコード７１Ｂの「語句」と合致することになる。
【０１０２】
さらに、カテゴリ決定部３０３は、上記パターンマッチング処理によって取得したレコード情報を基に翻訳処理を行う（ステップＳ１５）。例えば、パターンマッチングレコード７１Ａ及びパターンマッチングレコード７１Ｂを取得した場合、カテゴリ決定部３０３は、それぞれマッチングレコード７１の「情報」及び「翻訳カテゴリ」について、図１１（ｂ）のように、「Ｗｈｅｎ＝ｔｏｄａｙ」及び「Ｗｈａｔ＝ｗｅａｔｈｅｒ」という等式を導く。カテゴリ決定部３０３は、上記の２つの等式から「今日の情報」と「天気の情報」とを合わせた「今日の天気情報」を取得すると決定する。
【０１０３】
ステップＳ１６〜ステップＳ１８の処理は、図９のフローチャートにおけるステップＳ４〜ステップＳ６と同様であるため、説明を省略する。
【０１０４】
そして、イベント対応情報取得ユニット３００は、ステップＳ１８の処理を終了すると、音声入力による利用者イベントが検出された場合のイベント対応情報登録処理を終了する。
【０１０５】
なお、上記イベント対応情報レコード登録処理は、所定の方法（例えば、車両のエンジンストップ等）により停止命令がなされるまで繰り返し行われる。
【０１０６】
このように、利用者の音声によるイベントが発生した場合におけるイベント対応情報登録処理では、カテゴリ決定部３０３は、入力された音声情報を基に類推処理を行うことにより、イベント対応情報のカテゴリを決定する。
【０１０７】
これにより、利用者が所定の入力装置（操作ボタン等）を操作することなく、イベント対応情報取得ユニット３００は、利用者にとって有益なイベント対応情報を取得することができる。
【０１０８】
［イベント対応情報表示処理］
次に、本実施例における、イベント対応情報表示処理について、図１２を参照して説明する。図１２は、イベント対応情報表示処理のフローチャートである。イベント対応情報表示処理とは、所定の操作によりイベント対応情報検索が指示された場合に、指示された検索条件に応じたイベント対応情報レコード７０を取得し、レコード関連画面データをディスプレイ４４（例えば、サブディスプレイ４４Ｂ）に表示する処理である。
【０１０９】
メインディスプレイ４４Ａで、所定の操作（検索メニューの指定等）がなされると（ステップＳ２１；Ｙｅｓ）、イベント対応情報検索要求部３１１は、当該操作内容に基づいて検索条件を生成し、登録済みイベント対応情報検索部３０６に対して、イベント対応情報検索要求を行う。登録済みイベント対応情報検索部３０６は、イベント対応情報テーブル１５０から当該検索条件に合致するイベント対応情報レコード７０を取得し、レコード関連画面データも取得する（ステップＳ２２）。さらに、登録済みイベント対応情報検索部３０６は、取得したイベント対応情報レコード７０のイベント発生時刻に近いイベント対応情報レコード７０と、レコード関連画面データも取得する。
【０１１０】
次に、表示ユニット４０内の表示制御部４３は、登録済みイベント対応情報検索部３０６が取得したイベント対応情報レコード７０の内容と、レコード関連画面データとをサブディスプレイ４４Ｂへ表示する（ステップＳ２３）。
【０１１１】
そして、イベント対応情報取得ユニット３００は、イベント対応情報表示処理を終了する。
【０１１２】
このように、登録済みイベント対応情報検索部３０６が、検索条件に合致するイベント対応情報レコード７０とレコード関連画面データとを取得し、表示制御部４３が当該イベント対応情報レコード７０の内容と、レコード関連画面データとをディスプレイ４４（例えば、サブディスプレイ４４Ｂ）へ表示する。
【０１１３】
これにより、イベント対応情報取得ユニット３００は、所定のタイミングで、今まで登録したイベント対応情報レコード７０の内容と、レコード関連画面データとを提供することができる。
【０１１４】
また、登録済みイベント対応情報検索部３０６は、検索条件に合致するイベント対応情報レコード７０だけでなく、検索条件に合致するイベント対応情報レコード７０のイベント発生時刻に近いイベント対応情報レコード７０も取得している。
【０１１５】
これにより、イベント対応情報取得ユニット３００は、イベント対応情報のイベント発生時刻の前後のイベント対応情報についても並べて表示することになる。よって利用者が所望の情報を取得できる可能性をより高めることができる。
【０１１６】
さらに、メインディスプレイ４４Ａ及びサブディスプレイ４４Ｂのように、複数のディスプレイがある場合において、例えば、メインディスプレイ４４Ａの操作により、イベント対応情報検索要求部３１１が、イベント対応情報検索を要求した場合に、表示制御部４３は、登録済みイベント対応情報検索部３０６が取得したイベント対応情報レコード７０の内容と、レコード関連画面データをサブディスプレイ４４Ｂへ表示する。
【０１１７】
これにより、表示制御部４３は、メインディスプレイ４４Ａの表示内容を切り替えることなく、イベント対応情報レコード７０の内容と、レコード関連画面データとを表示することができる。
【０１１８】
従って、利用者は、メインディスプレイ４４Ａの表示内容を利用しながら、イベント対応情報レコード７０の内容と、レコード関連画面データとを利用することが可能となる。
【０１１９】
［変形例］
上述の実施例では、イベント対応情報取得ユニット３００をカーナビゲーション装置に適用した場合について述べたが、本発明はこれに限られず、イベント対応情報取得ユニット３００を家庭内のハードディスクレコーダに適用することもできる。
【０１２０】
上述の実施例では、イベント対応情報レコード７０を「関連情報」として適用する場合について述べたが、本発明はこれに限られず、テキスト形式のリスト等、種々の形式の情報を「関連情報」として適用しても良い。
【０１２１】
上述の実施例では、表示用画像データ登録部３１０がイベント対応情報を含む画面表示用画像データを登録する場合について述べたが、本発明はこれに限られず、イベント対応情報自体（テキストデータ等）を登録しても良い。
【０１２２】
上述の実施例では、イベント対応情報取得ユニット３００が複数のディスプレイ（メインディスプレイ４４Ａ及びサブディスプレイ４４Ｂ）を有し、サブディスプレイ４４Ｂへイベント対応情報の画面表示用画像データ及びレコード関連データを表示する場合について述べたが、本発明はこれに限られず、上記イベント対応情報の画面表示用画像データ及びレコード関連データをメインディスプレイ４４Ａへ表示するようにしても良い。
【０１２３】
この場合、サブディスプレイ４４Ｂを設けることなく、イベント対応情報の画面表示用画像データ及レコード関連データを利用することができる。
【０１２４】
上述の実施例では、イベント対応情報取得ユニット３００がサブディスプレイ４４Ｂへイベント対応情報の画面表示用画像データを表示する場合について述べたが、本発明はこれに限られず、イベントの種類に応じて、イベント対応情報の画面表示用画像データをメインディスプレイ４４Ａへ表示したり、サブディスプレイ４４Ｂへ表示したりしても良い。例えば、イベント対応情報取得ユニット３００が「利用者イベント」を検出した場合、イベント対応情報の画面表示用画像データをメインディスプレイ４４Ａへ表示し、「環境イベント」を検出した場合、イベント対応情報の画面表示用画像データをサブディスプレイ４４Ｂへ表示する等が考えられる。
【０１２５】
このように、イベント対応情報取得ユニット３００は、利用者にとって有用性の高いイベント対応情報の画面表示用画像データのみを、サブディスプレイ４４Ｂに比して画面が大きいメインディスプレイ４４Ａへ表示することができる。よって、利用者にとって、より利便性の高いイベント対応情報取得ユニット３００を実現できる。また、各イベントのイベント対応情報の画面表示用画像データを表示するディスプレイの設定を行う方法は、予めイベント対応情報ユニット３００内で設定しておく方法や利用者の入力操作により設定する方法等、種々の方法がある。
【図面の簡単な説明】
【０１２６】
【図１】ナビゲーション装置の概念図である。
【図２】ナビゲーション装置の概略構成を示すブロック図である。
【図３】イベント対応情報取得ユニットの機能構成図である。
【図４】イベントの種類を示す図表である。
【図５】イベント対応情報の画面表示例である。
【図６】イベント及びイベント対応情報との関係を示した図表である。
【図７】イベント対応情報テーブルの例である。
【図８】イベント対応情報検索時の画面を示す模式図である。
【図９】イベント対応情報登録処理のフローチャートである。
【図１０】音声入力による利用者イベントが発生した場合のイベント対応情報登録処理のフローチャートである。
【図１１】類推処理を説明する図である。
【図１２】イベント対応情報表示処理のフローチャートである。
【符号の説明】
【０１２７】
１０  自立測位装置
３６  データ記憶ユニット
４０  表示ユニット
６０  入力装置
２００  ナビゲーション装置
３００  イベント対応情報取得ユニット
３０１  制御部
【図１】
2008152417.tif 000003
【図２】
2008152417.tif 000004
【図３】
2008152417.tif 000005
【図４】
2008152417.tif 000006
【図５】
2008152417.tif 000007
【図６】
2008152417.tif 000008
【図７】
2008152417.tif 000009
【図８】
2008152417.tif 000010
【図９】
2008152417.tif 000011
【図１０】
2008152417.tif 000012
【図１１】
2008152417.tif 000013
【図１２】
2008152417.tif 000014